(57)【特許請求の範囲】
【請求項１】
抱持体（４）と抱着体（５）によって鋼管（１０）を抱持するようにしており、前記抱持体（４）の底面（４ａ）に設けた通孔（１１）からバリケードスタンド（Ｓ）の設置台（１）に設けた通孔（１２）に、変形部材（１３）を介在させて挿入した取付ボルト（１４）にナット（１５）を嵌めて締め付けたバリケードスタンド用緊結金具であって、前記変形部材（１３）を、鋼管（１０）にかかった一定以上の押し下げる力または引っ張る力により、変形してこれらの力が吸収されるようにしたことを特徴とするバリケードスタンド用緊結金具。
【請求項２】
前記変形部材（１３）を、座金としたことを特徴とする請求項１記載のバリケードスタンド用緊結金具。
【請求項３】
前記変形部材（１３）を、スプリング材としたことを特徴とする請求項１記載のバリケードスタンド用緊結金具。
【請求項４】
前記変形部材（１３）を、バリケードスタンド（Ｓ）の設置台（１）側に介在させたことを特徴とする請求項１記載のバリケードスタンド用緊結金具。
【発明の詳細な説明】
【０００１】
【発明の属する技術分野】
この発明は、建築工事現場、道路工事現場等で主に保安用として使用されるバリケードスタンドの緊結金具に関するものである。
【０００２】
【従来の技術】
従来のバリケードスタンドは、例えば図９に示したように、略逆Ｕ字形状の支持脚２１の下部寄りに横桟２２を掛け渡し、この支持脚２１の頂部２１ａ、及び必要に応じて横桟２２の略中央部にそれぞれ緊結金具２３を溶接するなどして固着したものとしている。このバリケードスタンドを使用するには、図１０に示したように、これらの複数個を所定の間隔をおいて配置し、各スタンド間に鋼管２４を水平状態に架設し、これら鋼管２４を各緊結金具２３で固定することにより、バリケードを組み立てている。
【０００３】
そして、前記緊結金具２３は、図１１に示したように、側面形状を略Ｌ字状とした抱持体２５の一端に、側面形状を略円弧形とした抱着体２６の一端をピン２７により軸支している。さらに、抱持体２５の他端に軸支したボルト２８を、抱着体２６の他端に設けた切欠き部２９に挿入して、そのボルト２８にナット３０を締め込むことにより、前記抱持体２５と抱着体２６によって鋼管２４を抱持して固定するように構成している。
【０００４】
【発明が解決しようとする課題】
ところで、この種のバリケードスタンドを用いてバリケードを組み立てる場合には、先ず、バリケードスタンドの支持脚２１の頂上２１ａに固着した緊結金具２３にその鋼管２４の一端を固定すると、図１２に示したような不安定な状態となる。また、組み立てたバリケードを解体する場合にも、その解体中において図１２に示したような不安定な状態となる。特に作業員が一人でバリケードを組み立てたり、解体する場合には、このような不安定な状態となるのを回避することができない。
【０００５】
しかしながら、このような状態において、鋼管２４に一定以上の押し下げる力や引っ張る力がかかると、緊結金具２３のバリケードスタンドとの固着部分や、緊結金具２３の抱持体２５及び抱着体２６が破損する場合が多々ある。そして、これらが破損すると、修復が非常に困難であり、緊結金具２３を再度使用することができなくなるという課題を有していた。
【０００６】
そこで、この発明は、上記従来の課題を解決するものであり、不安定な状態において鋼管に一定以上の押し下げる力や引っ張る力がかかっても、バリケードスタンドとの固着部分や、抱持体及び抱着体が破損することのない緊結金具を提供することを目的としてなされたものである。
【０００７】
【課題を解決するための手段】
そのため、この発明のバリケードスタンド用緊結金具は、抱持体４と抱着体５によって鋼管１０を抱持するようにしており、前記抱持体４の底面４ａに設けた通孔１１からバリケードスタンドＳの設置台１に設けた通孔１２に、変形部材１３を介在させて挿入した取付ボルト１４にナット１５を嵌めて締め付けたものとし、前記変形部材１３を、鋼管１０にかかった一定以上の押し下げる力または引っ張る力により、変形してこれらの力が吸収されるようにしている。
【０００８】
さらに、この発明のバリケードスタンド用緊結金具は、前記変形部材１３を座金としたり、スプリング材としたものとすることができる。
【０００９】
また、この発明のバリケードスタンド用緊結金具は、前記変形部材１３をバリケードスタンドＳの設置台１側に介在させたものすることができる。
【００１０】
【発明の実施の形態】
以下、この発明のバリケードスタンド用緊結金具の実施の形態を、図面に基づいて詳細に説明する。
【００１１】
図１、２に示したように、この発明のバリケードスタンド用緊結金具は、設置台１の下方に二本の支持脚２を取り付け、これら支持脚２の下部寄りに横桟３を掛け渡したバリケードスタンドＳにおいて、以下に述べるようにこのバリケードスタンドＳの設置台１の略中央部に取り付けるものとしている。なお、バリケードスタンドＳは、図１に示したように、二本の支持脚２を開閉自在式としたものとしてもよいが、図２に示したように、二本の支持脚２を合成樹脂の一体成形物として、常時、開放している形式としたものとしてもよい。また、この発明のバリケードスタンド用緊結金具は、必要に応じて前記横桟３の略中央部にも取り付けるものとしてもよい。
【００１２】
この発明のバリケードスタンド用緊結金具は、図３〜８に示したように、側面形状を略Ｌ字状とした抱持体４の一端に、側面形状を略円弧形とした抱着体５の一端をピン６により軸支している。さらに、抱着体５の他端に設けた通孔７からボルト８を挿入して、このボルト８を抱持体４の他端の内側に設けた袋ナット９に締め込むことにより、前記抱持体４と抱着体５によって鋼管１０を抱持するようにしている。
【００１３】
そして、この発明のバリケードスタンド用緊結金具は、抱持体４の底面４ａに設けた通孔１１からバリケードスタンドＳの設置台１に設けた通孔１２に、変形部材１３を介在させて挿入した取付ボルト１４にナット１５を嵌めて締め付けることにより、バリケードスタンドＳの設置台１の略中央部に取り付けられる。
【００１４】
前記変形部材１３は、図３、４に示したような、比較的肉厚の薄い金属で作成する等して強度を積極的に弱くした椀状の座金としたり、図５、６に示したような、同じく強度を積極的に弱くした板状の座金としたりすることができる。このような椀状や板状の座金とすると、鋼管１０にかかった一定以上の押し下げる力や引っ張る力により、この椀状や板状の座金が変形してこれらの力が吸収されるので、バリケードスタンドＳの設置台１への固着部分や、抱持体４及び抱着体５が破損することがない。なお、変形した椀状や板状の座金は、簡単に新しいのものに取り替えることができるので、修復が非常に容易なものとなる。
【００１５】
さらに、前記変形部材１３は、図７、８に示したような、円錐コイルバネ等のスプリング材とすることができる。このようなスプリング材とすると、鋼管１０にかかった一定以上の押し下げる力や引っ張る力により、このスプリング材が変形してこれらの力が吸収されるので、バリケードスタンドＳの設置台１への固着部分や、抱持体４及び抱着体５が破損することがない。なお、変形したスプリング材は、前記押し下げる力や引っ張る力がかからなくなると元の形状に戻るので、破損することがなく、新しいのものに取り替える必要がない。
【００１６】
また、前記変形部材１３は、図３〜８に示した実施の形態のように、バリケードスタンドＳの設置台１側に介在させたものとするのが、その設置場所も広く、設置場所を容易に確保することができるので好ましいが、抱持体４側に介在させたものとしてもよい。
【００１７】
【発明の効果】
この発明のバリケードスタンド用緊結金具は、以上に述べたように構成しているので、不安定な状態において鋼管に一定以上の押し下げる力や引っ張る力がかかっても、バリケードスタンドとの固着部分や、抱持体及び抱着体が破損することのないものとなった。
【図面の簡単な説明】
【図１】この発明のバリケードスタンド用緊結金具を取り付けたバリケードスタンドの正面図である。
【図２】この発明のバリケードスタンド用緊結金具を取り付けた他の形式のバリケードスタンドの正面図である。
【図３】この発明のバリケードスタンド用緊結金具の一実施形態を示す分解斜視図である。
【図４】図３に示すこの発明のバリケードスタンド用緊結金具のバリケードスタンドへの取り付け状態を示す説明図である。
【図５】この発明のバリケードスタンド用緊結金具の他の実施形態を示す分解斜視図である。
【図６】図５に示すこの発明のバリケードスタンド用緊結金具のバリケードスタンドへの取り付け状態を示す説明図である。
【図７】この発明のバリケードスタンド用緊結金具のさらに他の実施形態を示す分解斜視図である。
【図８】図７に示すこの発明のバリケードスタンド用緊結金具のバリケードスタンドへの取り付け状態を示す説明図である。
【図９】従来のバリケードスタンド用緊結金具を取り付けたバリケードスタンドの正面図である。
【図１０】従来のバリケードスタンド用緊結金具を取り付けたバリケードスタンドの使用状態を示す斜視図である。
【図１１】従来のバリケードスタンド用緊結金具の斜視図である。
【図１２】一般にバリケードスタンドを用いてバリケードを組み立てる場合や、組み立てたバリケードを解体する場合に生ずる不安定な状態を示す説明図である。
【符号の説明】
１  設置台
４  抱持体
４ａ  底面
５  抱着体
１１  通孔
１２  通孔
１３  変形部材
１４  取付ボルト
１５  ナット
Ｓ  バリケードスタンド
【図１】
0004143743.tif 000002
【図２】
0004143743.tif 000003
【図３】
0004143743.tif 000004
【図４】
0004143743.tif 000005
【図５】
0004143743.tif 000006
【図６】
0004143743.tif 000007
【図７】
0004143743.tif 000008
【図８】
0004143743.tif 000009
【図９】
0004143743.tif 000010
【図１０】
0004143743.tif 000011
【図１１】
0004143743.tif 000012
【図１２】
0004143743.tif 000013